(57)【要約】  外部環境の影響を受けることなく、簡単な構成及び処理で高精度に位相制御を行うことが可能な信号制御装置を提供する。  入力信号における正成分に相当する変調信号を入力する第１遅延器７と、入力信号における負成分に相当する変調信号を入力する第２遅延器８と、それぞれの系統の遅延器から出力された信号を入力し、超音波として各系統ごとに出力するトランスデューサ１１，１２と、当該トランスデューサ１１，１２から出力されたそれぞれの系統からの超音波を検知するマイク１３と、検知した各系統ごとの超音波を統合し、正の音波及び負の音波の各波形特性を検出する波形特性検出部１５と、検出した波形特性に基づいて、第１遅延器７から出力された信号と第２遅延器８から出力された信号との位相差が減少するように、第１遅延器７又は第２遅延器８に、位相差に応じた遅延量の情報を入力する遅延調整部１８とを備える。
2014196653.tif 000002
【特許請求の範囲】
【請求項１】
入力信号における正成分に相当する変調信号を入力する第１系統の遅延器と、
入力信号における負成分に相当する変調信号を入力する第２系統の遅延器と、
それぞれの系統の遅延器から出力された信号を入力し、超音波として各系統ごとに出力するトランスデューサと、
前記トランスデューサから出力されたそれぞれの系統からの超音波を検知する検知手段と、
前記検知手段が検知した各系統ごとの超音波を統合し、正の音波及び負の音波の各波形特性を検出する波形特性検出手段と、
前記波形特性検出手段が検出した前記波形特性に基づいて、前記第１系統の遅延器から出力された信号と前記第２系統の遅延器から出力された信号との位相差が減少するように、前記第１系統の遅延器又は前記第２系統の遅延器に、前記位相差に応じた遅延量の情報を入力する遅延調整手段とを備えることを特徴とする信号制御装置。
【請求項２】
請求項１に記載の信号制御装置において、
前記波形特性検出手段が、前記正の音波におけるピーク及び負の音波におけるピークをそれぞれ検出し、
前記遅延調整手段が、
前記正の音波におけるピークと前記負の音波におけるピークとを加算する加算手段と、
加算した結果得られた前記信号の正負に応じて前記遅延量の情報を前記第１系統の遅延器又は前記第２系統の遅延器に入力する遅延量決定手段とを備えることを特徴とする信号制御装置。
【請求項３】
請求項１に記載の信号制御装置において、
前記波形特性検出手段が、前記正の音波におけるピーク及び負の音波におけるピークをそれぞれ検出し、
前記遅延調整手段が、前記正の音波におけるピークの成分値と前記負の音波におけるピークの成分値との割合を算出し、当該割合に応じた前記遅延量の情報を前記第１系統の遅延器又は前記第２系統の遅延器に入力することを特徴とする信号制御装置。
【請求項４】
請求項１に記載の信号制御装置において、
前記波形特性検出手段が、デューティ比を検出し、
前記遅延調整手段が、前記デューティ比に応じた前記遅延量の情報を前記第１系統の遅延器又は前記第２系統の遅延器に入力することを特徴とする信号制御装置。
【請求項５】
請求項１ないし４のいずれかに記載の信号制御装置において、
前記入力信号のゼロクロス信号に同期して、前記第１系統の遅延器又は前記第２系統の遅延器に信号を割り振る選択手段を備えることを特徴とする信号制御装置。
【発明の詳細な説明】
【技術分野】
【０００１】
本発明は、高周波の音信号の位相制御を行う信号制御装置に関する。
【背景技術】
【０００２】
指向性が非常に強く特定のエリアに音を伝える手段として、超音波スピーカが利用されている。超音波スピーカは、超音波が伝えるエネルギーが非線形特性により空気中で可聴音に変換されることで音として聞くことができるものである。この超音波スピーカにおいて、音を伝送する方向を可変にしたい場合、音波発生面を機械的に傾けるなどの大掛かりな機構が必要となってしまう。【０００３】
このような問題に関して、例えば、特許文献１、２に示す技術が開示されている。特許文献１に示す技術は、ＡＤ変換器が、超音波信号を振幅変調するための変調信号を予め定められたサンプリング周波数でサンプリングして、変調信号のサンプルを順次生成し、生成された変調信号のサンプルは記憶部に記憶され、読出部が、変調信号のサンプルの内の予め定められた時間間隔を有する複数のサンプルを記憶から読み出し、超音波信号発振器が、超音波信号を発振し、複数の振幅変調器が、読み出された複数のサンプルをそれぞれ用いて超音波信号を振幅変調して複数の被変調信号を出力し、複数の電気音響変換器が、複数の被変調信号でそれぞれ駆動されるものである。【０００４】
また、特許文献２に示す技術は、サンプル生成部が、変調信号を用いて超音波信号が振幅変調された被変調信号のサンプルを順次生成し、生成された被変調信号のサンプルは記憶部に記憶され、読出部が、被変調信号のサンプルの内の予め定められた時間間隔を有する複数のサンプルを記憶部から読み出し、複数の電気音響変換器が、複数のサンプルでそれぞれ駆動されるものである。
【先行技術文献】
【特許文献】
【０００５】
【特許文献１】特開２００９−２６０６８９号公報
【特許文献２】特開２００９−２６０６９０号公報
【発明の概要】
【発明が解決しようとする課題】
【０００６】
位相制御による超音波スピーカの方向制御の場合、外部環境の壁や天井、床などによる反射の影響で十分な方向性の制御が困難となる。【０００７】
特許文献１、２に示す技術は、いずれも位相制御を行う技術であるが、時間的な要素を用いた複雑な演算を行う必要があり、処理が煩雑になってしまう。また、演算に音速ｃを用いた場合、この音速ｃは温度により変動するものであるため、固定値として利用すると、温度変化により正確な演算を行うことができなくなってしまう。固定値としない場合であっても、そのときの温度に対応する音速ｃを特定する処理が必要となり、処理が煩雑なものになってしまうという課題を有する。【０００８】
本発明は、外部環境の影響を受けることなく、簡単な構成及び処理で高精度に位相制御を行うことが可能な信号制御装置を提供する。
【課題を解決するための手段】
【０００９】
本発明に係る信号制御装置は、入力信号における正成分に相当する変調信号を入力する第１系統の遅延器と、入力信号における負成分に相当する変調信号を入力する第２系統の遅延器と、それぞれの系統の遅延器から出力された信号を入力し、超音波として各系統ごとに出力するトランスデューサと、前記トランスデューサから出力されたそれぞれの系統からの超音波を検知する検知手段と、前記検知手段が検知した各系統ごとの超音波を統合し、正の音波及び負の音波の各波形特性を検出する波形特性検出手段と、前記波形特性検出手段が検出した前記波形特性に基づいて、前記第１系統の遅延器から出力された信号と前記第２系統の遅延器から出力された信号との位相差が減少するように、前記第１系統の遅延器又は前記第２系統の遅延器に、前記位相差に応じた遅延量の情報を入力する遅延調整手段とを備えるものである。【００１０】
このように、本発明に係る信号制御装置においては、２系統の遅延器を用意し、一方に入力信号の正成分に相当する変調信号、他方に入力信号の負成分に相当する変調信号を入力し、それぞれから出力された超音波を検知し、各超音波を統合した際の波形特性から、それぞれの位相差が減少するように遅延量の情報をフィードバックすることで、簡素化された構成で且つシンプルな処理を行うだけで、高精度に位相制御を行うことが可能になるという効果を奏する。【００１１】
本発明に係る信号制御装置は、前記波形特性検出手段が、前記正の音波におけるピーク及び負の音波におけるピークをそれぞれ検出し、前記遅延調整手段が、前記正の音波におけるピークと前記負の音波におけるピークとを加算する加算手段と、加算した結果得られた前記信号の正負に応じて前記遅延量の情報を前記第１系統の遅延器又は前記第２系統の遅延器に入力する遅延量決定手段とを備えるものである。【００１２】
このように、本発明に係る信号制御装置においては、波形特性検出手段が、正のピーク及び負のピークをそれぞれ検出し、遅延調整手段が、それぞれのピークを加算し、加算の結果得られた信号の正負に応じて遅延量の情報を遅延器に入力するため、簡素化された構成且つシンプルな処理でフィードバックをかける適切な遅延量を演算することができるという効果を奏する。すなわち、コストを削減して高性能な信号制御を実現することができる。【００１３】
本発明に係る信号制御装置は、前記波形特性検出手段が、前記正の音波におけるピーク及び負の音波におけるピークをそれぞれ検出し、前記遅延調整手段が、前記正の音波におけるピークの成分値と前記負の音波におけるピークの成分値との割合を算出し、当該割合に応じた前記遅延量の情報を前記第１系統の遅延器又は前記第２系統の遅延器に入力するものである。【００１４】
このように、本発明に係る信号制御装置においては、波形特性検出手段が、正のピーク及び負のピークをそれぞれ検出し、遅延調整手段が、正のピークの成分値と負のピークの成分値との割合を算出し、当該割合に応じた遅延量の情報を遅延器に入力するため、簡素化された構成且つシンプルな処理でフィードバックをかける適切な遅延量を演算することができるという効果を奏する。【００１５】
本発明に係る信号制御装置は、前記波形特性検出手段が、デューティ比を検出し、前記遅延調整手段が、前記デューティ比に応じた前記遅延量の情報を前記第１系統の遅延器又は前記第２系統の遅延器に入力するものである。【００１６】
このように、本発明に係る信号制御装置においては、波形特性検出手段が、デューティ比を検出し、デューティ比に応じた遅延量の情報を遅延器に入力するため、簡素化された構成且つシンプルな処理でフィードバックをかける適切な遅延量を演算することができるという効果を奏する。【００１７】
本発明に係る信号制御装置は、入力信号のゼロクロス信号に同期して、前記第１系統の遅延器又は前記第２系統の遅延器に信号を割り振る選択手段を備えるものである。【００１８】
このように、本発明に係る信号制御装置においては、入力信号のゼロクロス信号に同期して、第１系統の遅延器又は第２系統の遅延器に信号を割り振るため、それぞれの遅延器に適切な信号を正確に入力することができるという効果を奏する。
【図面の簡単な説明】
【００１９】
【図１】第１の実施形態に係る信号制御装置の構成を示すブロック図である。
【図２】入力信号の波形の一例を示す図である。
【図３】各遅延器に入力される変調信号を示す図である。
【図４】位相差とマイクとの位置関係を示す図である。
【図５】マイクで検知される直前（復調前）における各スピーカの統合された信号波形を模式的に示す図である。
【図６】マイクで検知された直後（復調後）の統合された信号波形を示す図である。
【図７】第１の実施形態に係る波形特性検出部の構成を示すブロック図である。
【図８】第１の実施形態に係る遅延調整部の構成を示すブロック図である。
【図９】第２の実施形態に係る信号制御装置においてトランスデューサから出力された波形を示す図である。
【図１０】第２の実施形態に係る信号制御装置においてマイクで検出された波形を示す第１の図である。
【図１１】第２の実施形態に係る信号制御装置においてマイクで検出された波形を示す第２の図である。
【図１２】第２の実施形態に係る信号制御装置におけるピーク検出を示す図である。
【図１３】第３の実施形態に係る遅延調整部の構成を示すブロック図である。
【発明を実施するための最良の形態】
【００２０】
以下、本発明の実施の形態を説明する。また、本実施形態の全体を通して同じ要素には同じ符号を付けている。【００２１】
（本発明の第１の実施形態）
本実施形態に係る信号制御装置について、図１ないし図８を用いて説明する。本実施形態に係る信号制御装置は、超音波スピーカの指向の方向制御を位相を制御することで電気的に行うものであり、外部環境（例えば、反射、干渉、温度による音速の変化等）の影響を受けることなく、簡単な構成で正確な方向制御を安価に行うものである。【００２２】
図１は、本実施形態に係る信号制御装置の構成を示すブロック図である。本実施形態に係る信号制御装置は、１対（２個のトランスデューサからなる）の超音波スピーカと一体の構成となっており、各スピーカにおいては、配設されている複数のエレメントから共通の超音波信号が出力される。【００２３】
信号制御装置１は、任意の入力信号を入力する信号入力部２と、入力信号をキャリア発振器（例えば、３０ｋＨｚ）の信号で変調する変調部５と、入力信号のゼロクロスを検出するゼロクロスコンパレータ３と、ゼロクロスコンパレータ３の検出に応じてスイッチングを行う切替部６と、入力信号の正成分の位相を制御する第１遅延器７と、入力信号の負成分の位相を制御する第２遅延器８と、各遅延器から出力された信号を増幅する複数のアンプ９，１０と、アンプ９，１０で増幅された信号により駆動されて超音波を出力するトランスデューサ１１，１２と、各トランスデューサ１１，１２から出力された超音波を可聴音の音波信号として統合して検知するマイク１３と、検知した音波信号を増幅するマイクアンプ１４と、検知した音波信号の信号波形における正の音波の波形特性と負の音波の波形特性を検出する波形特性検出部１５と、検出された波形特性から位相を制御するための遅延量を演算し、第２遅延器に入力して位相制御を行う遅延調整部１８とを備える。【００２４】
本実施形態においては、分かり易くするために、図２に示すようなサイン波を入力信号とした場合について説明するが、通常の音声のような複雑な信号波形であっても、本実施形態に係る信号制御を適用可能である。【００２５】
信号入力部２に入力された入力信号は、変調部５で変調される。この変調部５による変調処理は、ＡＭ変調、ＦＭ変調、ＳＳＢ変調、ＤＳＢ変調等のようにいずれの変調であってもよい。また、入力信号はゼロクロスコンパレータ３に入力され、そこで入力信号のゼロクロスが検出される（図２を参照）。検出されたゼロクロスに同期して切替部６がスイッチングを行い、入力信号の正成分に相当する変調信号は第１遅延器７に入力され、入力信号の負成分に相当する変調信号は第２遅延器８に入力される。【００２６】
図３は、それぞれの遅延器に入力される変調信号を示す図である。ここでは、変調部５により入力信号がＦＭ変調されたものとする。図３（Ａ）は入力信号、図３（Ｂ）は変調信号、図３（Ｃ）は第１遅延器７に入力された正成分の変調信号、図３（Ｄ）は第２遅延器８に入力された負成分の変調信号である。図３（Ｃ）、（Ｄ）に示すように、検出されたゼロクロスに同期してスイッチングが行われることで、第１遅延器７には正成分の変調信号、第２遅延器８には負成分の変調信号が入力される。【００２７】
それぞれの遅延器に入力された信号は、アンプ９，１０を介してトランスデューサ１１，１２に入力され、超音波として出力される。各トランスデューサ１１，１２から出力された超音波は、マイク１３で検知され、復調されて一つの波形に統合される。このとき、マイク１３は、トランスデューサ１１から出力された信号波形とトランスデューサ１２から出力された信号波形の区別が付かないため、通常はそれぞれの位相を検知することはできず、マイク１３の位置によって位相差に応じた信号の歪みが検知される。【００２８】
図４は、位相差とマイクとの位置関係を示す図、図５は、マイク１３で検知される直前（復調前）における各スピーカの統合された信号波形を模式的に示す図、図６は、マイク１３で検知された直後（復調後）の統合された信号波形を示す図である。【００２９】
図４（Ａ）に示すように、各スピーカから出力された超音波信号の位相が揃った状態でマイクに入力された場合、すなわち、第１遅延器７側のスピーカ（以下、第１系統のスピーカとする）とマイク１３との距離をｄ１、第２遅延器８側のスピーカ（以下、第２系統のスピーカとする）とマイク１３との距離をｄ２とすると、ｄ１＝ｄ２の場合は、図５（Ａ）に示すように入力信号と同様の変調された信号波形となり、復調すると図６（Ａ）に示すように入力信号と同形のサイン波が検出される。【００３０】
図４（Ｂ）に示すように、マイク１３の位置関係がｄ１＜ｄ２の場合は、トランスデューサ１１から出力された信号が強く、トランスデューサ１２から出力された信号が弱くなり、各トランスデューサから出力された超音波信号の位相がずれてしまうため、図５（Ｂ）に示すような状態の変調信号となり、復調されることで図６（Ｂ）に示すような歪んだ波形として検出される。【００３１】
なお、この図６（Ｂ）の信号波形は、ＤＣ成分が取り除かれた状態を示しており、負成分にするどいピークが現れている。つまり、このように、トランスデューサ１１から出力された信号とトランスデューサ１２から出力された信号の位相がずれていると、正確な入力信号の音波として捉えることができない。【００３２】
同様に、図４（Ｃ）に示すように、マイク１３の位置関係がｄ１＞ｄ２の場合は、トランスデューサ１２から出力された信号が強く、トランスデューサ１１から出力された信号が弱くなり、各トランスデューサから出力された超音波信号の位相がずれてしまうため、図５（Ｃ）に示すような状態の変調信号となり、復調されることで図６（Ｃ）に示すような歪んだ波形が検出され、図６（Ｂ）の場合と同様に、正確な入力信号の音波として捉えることができない。【００３３】
すなわち、マイク１３の位置に応じて、検出される波形が、図６（Ａ）の状態から図６（Ｂ）や図６（Ｃ）の状態に変化することとなる。図４（Ｂ）及び図４（Ｃ）に示したように、位相がずれた状態の場合に、遅延器（第１遅延器７又は第２遅延器８のいずれか一方又は双方）の遅延量を調整することで、位相のずれを解消し、揃えることができる。なお、図５の信号波形は、説明のために模式的に示した波形であり、実際にマイク１３で検出される波形ではない。【００３４】
以下に、本実施形態における遅延量の調整方法について具体的に説明する。ここでは、マイク１３で検知された信号波形の正のピーク及び負のピークを用いて、調整する遅延量を求めるものである。図７は、本実施形態に係る波形特性検出部の構成を示すブロック図、図８は、本実施形態に係る遅延調整部の構成を示すブロック図である。図７において、波形特性検出部１５は、マイク１３で検出された信号波形（図６に示す信号波形）からプラスのピークを検出する＋ピーク検出部１６と、マイナスのピークを検出する−ピーク検出部１７とを備える。ここで検出されたそれぞれのピークを用いて遅延調整部１８が調整する遅延量を算出する。【００３５】
つまり、図６（Ｂ）のように、マイナスのピークが大きく、プラスのピークが小さい場合は、マイナスのピークを小さく、プラスのピークを大きくするように遅延器（ここでは、第２遅延器８）の遅延量を算出する。また、図６（Ｃ）のような場合は、逆に、マイナスのピークが小さく、プラスのピークが大きくなっているため、マイナスのピークを大きく、プラスのピークを小さくするように第２遅延器８の遅延量を算出する。算出された遅延量は、第２遅延器８に入力されて遅延量が調整される。プラスのピークとマイナスのピークとの割合が図６（Ａ）に示すように１：１になるまで、すなわちコヒレンシが０に近づくように調整を行うことで、指向の方向制御を正確に行うことが可能となる。【００３６】
こうすることで、各トランスデューサ１１，１２から出力される超音波信号の位相を時間関係で検出して詳細に解析するような複雑な処理を行うことなく、マイク１３で検知された合成波形のピークの割合のみで簡単に且つ正確な位相制御が可能となる。【００３７】
次に、図８に示す遅延調整部１８の具体的な処理について説明する。図８において、遅延調整部１８は、＋ピーク検出部１６が検出したピーク値と−ピーク検出部１７が検出したピーク値とを加算する加算部５１と、加算された信号から低周波成分を抽出して位相を検出するローパスフィルタ５２と、検出された波形のゼロクロスを検出するゼロクロスコンパレータ５３と、検出されたゼロクロス及びサンプリングクロックに同期して、正又は負の値に応じたカウントを行うアップ／ダウンカウンタ５４とを備える。【００３８】
つまり、図６（Ｂ）のような波形の場合は、それぞれのピーク値を加算することにより負の値が検出され、アップ／ダウンカウンタ５４がカウントダウンを行い、そのカウントダウンに応じて第２遅延器８の遅延量が遅く調整される。逆に、図６（Ｃ）のような波形の場合は、それぞれのピーク値を加算することにより正の値が検出されてアップ／ダウンカウンタ５４がカウントアップを行い、そのカウントアップに応じて第２遅延器８の遅延量が速く調整される。【００３９】
なお、上記のように第２遅延器８の遅延量を調節する場合に、第１遅延器７の遅延量がゼロの状態だと、第２遅延器８の遅延量を速く調整することが困難となる。したがって、第１遅延器７を所定の遅延量（例えば、１００ｍｓ等）で遅延させておくことで、第２遅延器８の遅延量を調整して（例えば、７０ｍｓ等）、第１遅延器７より相対的に速く設定することが可能となる。【００４０】
（本発明の第２の実施形態）
本実施形態に係る信号制御装置について、図９ないし図１２を用いて説明する。なお、本実施形態において、前記第１の実施形態と同様の説明は省略する。本実施形態に係る信号制御装置は、特に変調の種別を限定しない場合の処理について具体的に説明する。本実施形態の場合も最終的には第１の実施形態の場合と同様の波形を得る結果となる。【００４１】
図９は、本実施形態に係る信号制御装置において、トランスデューサ１１及びトランスデューサ１２から出力された信号の波形を示す図である。実線で示す正の波形がトランスデューサ１１から出力された信号の波形を示し、長破線で示す負の波形がトランスデューサ１２から出力された信号の波形を示している。マイク１３の位置が、それぞれのトランスデューサ１１及びトランスデューサ１２から同じ距離、すなわち、図４（Ａ）のようなｄ１＝ｄ２における位置では、図９に示すようにそれぞれの波形が同位相となり、きれいなサイン波が検出される。【００４２】
これに対して、マイク１３の位置が図４（Ｃ）のようなｄ１＞ｄ２における位置では、図１０（Ａ）、（Ｂ）に示すようにそれぞれの波形（図１０（Ａ）がトランスデューサ１１から出力された信号の波形、図１０（Ｂ）がトランスデューサ１２から出力された信号の波形）で位相差が生じ、すなわち位相がずれる。ここでは、ｄ１の距離が長いため、トランスデューサ１１から出力された波形がトランスデューサ１２から出力された波形に比べて遅れている。それぞれの波形は、マイク１３において図１０（Ｃ）のように合成され、さらにローパスフィルタにより図１０（Ｄ）のような波形で検出される。図１０（Ｄ）は、プラス側に鋭いピークが現れ、マイナス側のピークが歪んで値が小さくなっている。これは、図６（Ｃ）の波形に対応しており、ＦＭ変調した場合と同様の波形が得られている。【００４３】
一方、マイク１３の位置が図４（Ｂ）のようなｄ１＜ｄ２における位置では、図１１（Ａ）、（Ｂ）に示すようにそれぞれの波形（図１１（Ａ）がトランスデューサ１１から出力された信号の波形、図１１（Ｂ）がトランスデューサ１２から出力された信号の波形）で位相差が生じ、すなわち位相がずれる。ここでは、ｄ１の距離が短いため、トランスデューサ１１から出力された波形がトランスデューサ１２から出力された波形に比べて進んでいる。それぞれの波形は、マイク１３において図１１（Ｃ）のように合成され、さらにローパスフィルタにより図１１（Ｄ）のような波形で検出される。図１１（Ｄ）に示すように、マイナス側に鋭いピークが現れ、プラス側のピークが歪んで値が小さくなっている。これは、図６（Ｂ）の波形に対応しており、ＦＭ変調した場合と同様の波形が得られている。【００４４】
マイク１３で得られた波形（図１０（Ｄ）、図１１（Ｄ））に対して、図１２に示すように、＋ピーク検出部１６と−ピーク検出部１７とが、それぞれのピークを検出する。ピーク検出後は、上述した処理と同様の処理を行うことで、遅延を制御することができる。【００４５】
（本発明の第３の実施形態）
本実施形態に係る信号制御装置について、図１３を用いて説明する。本実施形態に係る信号制御装置は、遅延量の情報をピーク値の割合から算出して、その遅延量に応じて第２遅延器８を制御するものである。なお、本実施形態において、前記各実施形態と同様の説明は省略する。【００４６】
本実施形態においては、遅延調整部１８を、図１３のような構成とする。すなわち、＋ピーク検出部１６が検出したピーク値と−ピーク検出部１７が検出したピーク値（ピーク値の絶対値）との割合を算出する割合算出部６１と、算出された割合に対応する遅延量の情報を遅延情報記憶部６３から抽出する遅延量抽出部６２とを備える。遅延情報記憶部６３には、マイク１３の位置に応じて予め測定されたピーク値の割合と、それに応じて位相を揃えるための遅延量とが対応付けて記憶されており、ピーク値の割合を算出することで、遅延量を取得することができる構成となっている。取得した遅延量の情報は、第２遅延器８に入力され位相が調整される。情報の記憶や演算を行う場合は、例えば、メモリやＣＰＵを用いることができる。【００４７】
（その他の実施形態）
その他の実施形態について説明する。ここでは、遅延量の調整を行う第２の方法について説明する。第２の方法では、第１の実施形態の場合と異なり、マイク１３で検知された信号波形のデューティ比を用いて、調整する遅延量を求める。すなわち、波形特性検出部１５が、マイク１３で検知された信号波形のデューティ比を算出し、算出されたデューティ比に応じて遅延調整部１８が調整する遅延量を算出する。【００４８】
なお、この第２の方法における遅延調整部１８の処理については、図８で説明したように、プラスピークとマイナスピークとの差分からカウンタによる遅延量を演算した場合と同様に、デューティ比に応じたカウントアップ／カウントダウンを行い、そのカウントに応じて遅延器の遅延量が調整されるようにしてもよい。【００４９】
また、図１３で説明したように、プラスピークとマイナスピークとの割合から対応する遅延量の情報を抽出する場合と同様に、マイク１３の位置に応じて予め測定されたデューティ比と、それに応じて位相を揃えるための遅延量とが対応付けて記憶された遅延情報記憶部６３に基づいて、遅延器の遅延量が調整されるようにしてもよい。【００５０】
以上、各実施形態において説明したように、いずれの手法であっても、マイク１３の位置に対応した位相調整を正確に行うことができる。また、回路構成も非常に簡素化され、低コストで高精度な位相調整を可能としている。【００５１】
なお、上記各実施形態の説明においては、入力信号としてサイン波を入力したが、音波信号であればどのような信号であっても本発明に係る信号制御を行うことが可能である。例えば、人の音声を入力信号とした場合であっても、サイン波を入力信号とした場合と全く同じ処理で、同様の効果が得られる信号制御を行うことが可能である。【００５２】
また、利用者（超音波スピーカから出力される音を聴く人）がマイク１３（例えば、ワイヤレスマイク）を保持し、利用者の移動に伴ってマイク１３も同時に移動する構成とすることで、超音波スピーカの指向性が常に利用者を追従することができる。つまり、利用者が移動した場合であっても、常に利用者にのみ音波を送信することができるものである。【００５３】
さらに、上記の説明では、スピーカとマイクの位置関係を二次元平面（地面に対して水平方向の二次元平面）に限定しているが、スピーカを縦方向（地面に対して垂直方向）に配置することで、高さ方向の位相制御も可能となる。また、水平方向に並列する１対のスピーカと垂直方向に並列する１対のスピーカとを組み合わせることで、３次元的に位相制御を行うことが可能となる。【００５４】
さらにまた、スピーカを３つ以上（直線上に配置しない）を配設し、各スピーカごとの遅延量を調整することでも３次元的に位相制御を行うことが可能となる。
【符号の説明】
【００５５】
１  信号制御装置
２  信号入力部
３  ゼロクロスコンパレータ
４  キャリア発振器
５  変調部
６  切替部
７  第１遅延器
８  第２遅延器
９，１０  アンプ
１１，１２  トランスデューサ
１３  マイク
１４  マイクアンプ
１６  ＋ピーク検出部
１７  −ピーク検出部
１８  遅延調整部
５１  加算器
５２  ローパスフィルタ
５３  ゼロクロスコンパレータ
５４  カウンタ
６１  割合算出部
６２  遅延量抽出部
６３  遅延情報記憶部
【図１】
2014196653.tif 000003
【図２】
2014196653.tif 000004
【図３】
2014196653.tif 000005
【図４】
2014196653.tif 000006
【図５】
2014196653.tif 000007
【図６】
2014196653.tif 000008
【図７】
2014196653.tif 000009
【図８】
2014196653.tif 000010
【図９】
2014196653.tif 000011
【図１０】
2014196653.tif 000012
【図１１】
2014196653.tif 000013
【図１２】
2014196653.tif 000014
【図１３】
2014196653.tif 000015
【国際調査報告】
2014196653.tif 000016
2014196653.tif 000017